(57)【特許請求の範囲】
【請求項１】
画面を拭くための拭布と、該拭布を一部が外部に突出するように保持する拭布ホルダと、該拭布ホルダを上記拭布が外部に露出する使用位置と内部に収納される不使用位置とに回動可能に軸支するケース兼用のハンドルとからなり、該ハンドルは、半円形状をした中空で扁平なケースの形をしていて、その直線部分が開口部となっており、また、上記拭布ホルダは、溝内に上記拭布が装着された細長い部材であって、上記ハンドルの開口部内に該開口部に沿うように嵌め込まれ、該拭布ホルダの長さ方向の中間点が、上記ハンドルの直線部分の中央部に、該拭布ホルダの長さ方向に対して直交する軸によって正逆方向に１８０回動可能に支持されていることを特徴とする画面用クリーナー。
【請求項２】
請求項１に記載のクリーナーにおいて、上記ハンドルにおける直線部分の一端に、拭布ホルダの端部を露出させるための回動操作用の切欠部が形成されていることを特徴とするクリーナー。
【請求項３】
請求項１又は２に記載のクリーナーにおいて、上記ハンドルと拭布ホルダとに、該拭布ホルダを使用位置と不使用位置とに係止させるための係止手段を有することを特徴とするクリーナー。
【請求項４】
請求項１ないし３の何れかに記載のクリーナーにおいて、上記拭布が、弾性を有する緩衝部材を介して拭布ホルダに保持されていることを特徴とするクリーナー。
【発明の詳細な説明】
【０００１】
【発明の属する技術分野】
本発明は、ＯＡ機器やＡＶ機器、テレビジョン等における液晶画面やブラウン管画面等を清掃するためのクリーナーに関するものである。
【０００２】
【従来の技術】
従来よりＯＡ機器やＡＶ機器、テレビジョン等における液晶画面やブラウン管画面等の清掃は、ティッシュペーパーや布切れ等のシート状の部材を使用して行うのが一般的であった。
【０００３】
しかしながら、ティッシュペーパーの場合は、箱や袋等のホルダに収容したものをＯＡ機器やＡＶ機器等の近くに置いておくことにより、必要時に該ホルダから取り出して手軽に使用できるという利点はあるが、細かい繊維の切れ端が画面に付着したり、着塵剤で濡れると破れて拭きにくいといった欠点があり、一方、布切れの場合は、繰り返して使用するため適当な場所に保管しなければならないが、ＯＡ機器やＡＶ機器等は汚れを嫌うため、一度使用して汚れが付着した布切れをそれらの近くにそのまま保管することはできず、比較的嵩張るということも加わって、保管場所に困るという欠点があった。
また、上記ティッシュペーパーも布切れも、それらを直接手に持って清掃しなければならないため、手が汚れ易いという問題もあった。
【０００４】
一方、実用新案登録第２５０８８４７号公報には、着脱自在のキャップを備えたホルダの開口部に、画面を拭くための払掃部材を一部が外部に突出するように保持させ、使用時には上記キャップを取り外して露出する払掃部材により画面を清掃し、不使用時には上記キャップを被着して払掃部材を覆い隠すようにしたクリーナーが開示されている。
【０００５】
このクリーナーは、上述したティッシュペーパーや布切れが持つ欠点を全て解消し、画面を簡単且つ効率良く清掃することができると共に、不使用時には汚れた払掃部材を覆い隠した状態で体裁良く且つコンパクトに保管できるといった利点があるが、キャップを一々着脱しなければならないために取り扱いが若干面倒であり、また、キャップが外れて紛失するおそれもあった。
【０００６】
【発明が解決しようとする課題】
本発明の課題は、上記クリーナーの持つ欠点を解消し、キャップを使用することなく拭布を露出させたり覆い隠したりすることができるようにした、取り扱いが容易でキャップを紛失するおそれのない画面用クリーナーを提供することにある。
【０００７】
【課題を解決するための手段】
上記課題を解決するため、本発明によれば、画面を拭くための拭布と、該拭布を一部が外部に突出するように保持する拭布ホルダと、該拭布ホルダを上記拭布が外部に露出する使用位置と内部に収納される不使用位置とに回動可能に軸支するケース兼用のハンドルとからなり、該ハンドルは、半円形状をした中空で扁平なケースの形をしていて、その直線部分が開口部となっており、また、上記拭布ホルダは、溝内に上記拭布が装着された細長い部材であって、上記ハンドルの開口部内に該開口部に沿うように嵌め込まれ、該拭布ホルダの長さ方向の中間点が、上記ハンドルの直線部分の中央部に、該拭布ホルダの長さ方向に対して直交する軸によって正逆方向に１８０回動可能に支持されていることを特徴とする画面用クリーナーが提供される。
【０００８】
上記構成を有するクリーナーは、上記ハンドルを手に持って、該ハンドルから露出させた拭布により液晶画面やブラウン管画面等を清掃し、清掃が終了すると、拭布ホルダを回動させることによって拭布をハンドル内に収納し、その状態で適当な場所に保管する。
【０００９】
かくして、拭布を直接手に持つことなく液晶画面やブラウン管画面等を手軽に且つ確実に清掃することができると共に、不使用時には汚れた拭布をハンドル内に包み隠した状態で体裁良く且つコンパクトに保管することができる。しかも、拭布ホルダを回動させて向きを変えるだけで、上記拭布をハンドルから露出させたりハンドル内に収納させたりする作業を簡単に行うことができる。また、キャップを着脱しない構成であるため、該キャップを紛失するおそれもない。
【００１０】
本発明においては、上記ハンドルにおける直線部分の一端に、拭布ホルダの端部を露出させるための回動操作用の切欠部が形成されていることが望ましい。
【００１１】
上記ハンドルと拭布ホルダには、該拭布ホルダを使用位置と不使用位置とに係止させるための係止手段を設けることが望ましい。
【００１２】
本発明において好ましくは、上記拭布を弾性を有する緩衝部材に取り付けることである。
【００１３】
【発明の実施の形態】
以下、本発明の好ましい実施の形態を図面を参照しながら詳細に説明するに、図１ないし図３は本発明に係るクリーナーの使用時の状態を示し、図４ないし図６は同不使用時の状態を示すもので、このクリーナーは、ケースを兼ねる握持用のハンドル１と、該ハンドル１に取り付けられた拭布ホルダ２と、該拭布ホルダ２に保持された払掃部材３とからなっている。
【００１４】
上記ハンドル１は、合成樹脂により半円形状をした中空で扁平なケースとして形成され、その直線部分１ａは全長にわたり開口し、該開口部４内に上記拭布ホルダ２が取り付けられている。
【００１５】
上記拭布ホルダ２は、合成樹脂製の細長いチャンネル状の部材から構成されていて、上記ハンドル１の開口部４内にちょうど嵌合し得るだけの長さと幅とを有し、その溝２ａ内に上記払掃部材３が、一部を外部に突出させた状態で嵌着されている。また該拭布ホルダ２は、その長さ方向の中間点が、上記ハンドル１の直線部分１ａの中央部に軸５で回動可能に支持され、該軸５を中心に正逆方向に１８０度回転させることにより、上記払掃部材３が外部に露出する図１の使用位置と、ハンドル１の内部に収納される図４の不使用位置とに反転させ得るようになっている。
【００１６】
上記拭布ホルダ２の回動操作を容易にするため、上記ハンドル１における直線部分１ａの一端には、該拭布ホルダ２の端部を露出させるための切欠部６が形成され、該切欠部６から露出するホルダ部分を指で操作することにより、拭布ホルダ２を簡単に回動させ得るようになっている。この場合、指が滑らないようにするため、図４及び図５に示すように、拭布ホルダ２の両端部のうち少なくとも不使用位置において上記切欠部６から露出する部分の表面には、細溝等の凹凸を付けた粗面２ｂとしておくことが望ましく、また、図２及び図５に示すように、該拭布ホルダ２の長さ方向の両端面には、それを回転させる方向を示す矢印等の記号７を付しておくことが望ましい。
【００１７】
上記ハンドル１と拭布ホルダ２との間には、該拭布ホルダ２を使用位置と不使用位置とに係止させるための係止手段１０が設けられている。この係止手段１０は、図７に示すように、拭布ホルダ２の長さ方向の一半部（図４における右半部）側の外側面に設けた突起１０ａと、ハンドル１の内側面に設けた窪み１０ｂとで構成されているが、このような突起１０ａと窪み１０ｂからなるものに限定されない。
【００１８】
上記ハンドル１と拭布ホルダ２とにはまた、上記係止手段１０の他に、又は該係止手段１０に代えて、拭布ホルダ２の回転を規制するためのストッパ１４が設けられている。このストッパ１４は、図２及び図５から分かるように、拭布ホルダ２の端面に設けた突起１４ａと、上記切欠部６の位置でハンドル１の端縁に設けた窪み１４ｂとからなり、拭布ホルダ２を不使用位置に回動させたとき、上記突起１４ａが窪み１４ｂに内に嵌合、当接してその位置に停止するようになっている。
【００１９】
また、上記払掃部材３は、不織布製の拭布１１を、スポンジやゴムあるいは合成樹脂等の弾性ある緩衝部材１２に被着したもので、この払掃部材３を拭布ホルダ２の溝２ａ内に、その溝壁に設けた突起２ｃに係止させることによって抜止状態に嵌着したものである。
【００２０】
上記構成を有するクリーナーを使用する時は、図４の不使用位置にある拭布ホルダ２を軸５を中心に矢印方向に１８０度回動させることにより、図１の使用位置に反転させて拭布１１を外部に露出させる。そして、ハンドル１を手に持って上記拭布１１により液晶画面やブラウン管画面等を清掃する。
【００２１】
清掃が終了すると、拭布ホルダ２を図１の使用位置から矢印方向に１８０度回動させて図４の不使用位置に反転させることにより、拭布１１をハンドル１内に覆い隠した状態に収納し、その状態で、ＯＡ機器やＡＶ機器等を載置したデスクの引き出し等の適当な場所に保管する。
【００２２】
【発明の効果】
このように本発明のクリーナーによれば、拭布を直接手に持つことなく液晶画面やブラウン管画面等を手軽に且つ衛生的に清掃することができると共に、不使用時には、汚れた拭布をハンドル内に包み隠した状態で体裁良く且つコンパクトに保管することができる。しかも、上記拭布ホルダを単に１８０度回動させて向きを反転させるだけで、拭布をハンドルから露出させたりハンドル内に収納させたりすることができるため、取り扱いが簡単で作業性も良く、しかも、キャップが不要であるため、部品点数が少なくなって構造が簡単であると共に、該キャップを紛失する心配もない。
【図面の簡単な説明】
【図１】本発明に係るクリーナーの一実施例を示す使用状態での正面図である。
【図２】図１の右側面図である。
【図３】図１のＡ−Ａ線での断面図である。
【図４】図１のクリーナーの不使用状態での正面図である。
【図５】図４の右側面図である。
【図６】図４のＢ−Ｂ線での断面図である。
【図７】図３の要部拡大図である。
【符号の説明】
１  ハンドル                      １ａ  直線部分
２  拭布ホルダ                    ４  開口部
５  軸                            ６  切欠部
１０  係止手段                    １１  拭布
１２  緩衝部材
【図１】
0004027473.tif 000002
【図２】
0004027473.tif 000003
【図３】
0004027473.tif 000004
【図４】
0004027473.tif 000005
【図５】
0004027473.tif 000006
【図６】
0004027473.tif 000007
【図７】
0004027473.tif 000008